(57)【特許請求の範囲】
【請求項１】
シート状素材（１）の一辺に切込み部（２）が形成され、該切込み部（２）の左右にそれぞれタンク（１４）のドレン首元部（１９ａ）に適合する透孔（３ａ），（３ｂ）が設けられてなることを特徴とするタンクドレン部カバー。
【請求項２】
前記各透孔（３ａ），（３ｂ）が前記タンク（１４）の前記ドレン首元部（１９ａ）に螺合されるキャップ（２１）と略同径であることを特徴とする請求項１に記載のタンクドレン部カバー。
【請求項３】
前記各透孔（３ａ），（３ｂ）の適位置にスリット（５ａ），（５ｂ）を設けたことを特徴とする請求項１又は２に記載のタンクドレン部カバー。
【請求項４】
前記シート状素材（１）が耐薬品性、耐水性、耐候性を有する軟質プラスチックシートであることを特徴とする請求項１，２又は３に記載のタンクドレン部カバー。
【発明の詳細な説明】
【０００１】
【発明の属する技術分野】
本発明は、例えば、薬液散布作業に使用される背負動力噴霧機等に使用される薬液飛散防止用カバーとして用いて好適な、タンクドレン部カバーに関する。
【０００２】
【従来の技術】
一般に、薬液散布作業に使用される背負動力噴霧機は、例えば、図５に示されているように、背負架台９上に原動機として小型空冷４サイクルガソリン等のエンジン１０、始動用のリコイルスタータ１１、燃料タンク１２及び薬液ポンプ１３等が一体に搭載され、さらにそれらの上部に薬液タンク１４が配置されている。
【０００３】
図中、１５は薬液供給ホースであり、その一端が前記薬液ポンプ１３の吐出口（図示せず）に連結され、他端が噴霧ノズル１６を先端に有する散布管１７の後端に連結され、該散布管１７には薬液供給コック１８が設けられ、該薬液供給コック１８を開閉操作することにより、前記噴霧ノズル１６への薬液供給を行うことができるように構成されている。
【０００４】
そして、前記背負動力噴霧機による薬液散布作業の終了時あるいは保管時等には、前記薬液タンク１４内の残留薬液、具体的には、残留薬液と新たな散布薬液との混合や、残留薬液のヘドロ化によって生ずる固化付着、さらにはその他各配管の詰り等を防止するため、前記薬液タンク１４の内部及びドレン１９部等の洗浄を行っている。
【０００５】
前記洗浄作業は、前記薬液タンク１４の蓋部２０を外し、内部に水を供給して洗浄し、前記ドレン１９の首元部１９ａからキャップ２１を取外して排出することによって行われている。その際、前記洗浄水を排出するために前記ドレン首元部１９ａに螺合された前記キャップ２１を緩めると、該キャップ２１と前記ドレン１９間から洗浄水が流出し始め、さらに前記キャップ２１の取り外し時に洗浄水が前記キャップ２１に落下供給されて、前記エンジン１０側等に飛散させられることがあった。
【０００６】
【発明が解決しようとする課題】
前記のごとき洗浄作業において、洗浄水が前記エンジン１０側に飛散させられると、前記洗浄水中に含まれる残留薬液が前記エンジン１０、前記リコイルスタータ１１、その他の各部に付着して錆の発生、作動不能を招いたり、さらには腐食等を招く等の問題があった。
【０００７】
本発明は、前記事情に鑑みてなされたもので、前記薬液散布作業に使用する背負動力噴霧機等の薬液タンク１４内等の洗浄時に、排出する洗浄水がエンジン１０側へ飛散することを防止し、該エンジン１０、リコイルスタータ１１、その他の各部への残留薬液の付着及び該付着に伴う錆の発生、作動不能、腐食等を防止できるとともに、その製造及び取り付け等の取扱いがきわめて容易な、タンクドレン部カバーを提供することを目的とする。
【０００８】
【課題を解決するための手段】
本発明は、前記事情に鑑みてなされたもので、請求項１に記載するごとく、シート状素材の一辺に切込み部が形成され、該切込み部の左右にそれぞれタンクのドレン首元部に適合する透孔を設けた構成としたものである。なお、前記シート状素材の形状は、略方形であることが好ましく、また、前記透孔は前記切込み部の左右対称位置に設けることが好ましい。
【０００９】
この請求項１の本発明によれば、当初から、あるいは洗浄作業に先立って、前記ドレンからキャップを取り外して、前記構成のタンクドレン部カバーをドレン部に予め取り付けておいて使用することができる。もっとも、シート状素材が適度の伸縮性を有する場合には、前記キャップを取り付けたままでも前記ドレン部に取り付けて使用することができる。
【００１０】
請求項２に示す実施の一形態は、前記各透孔を前記タンクの前記ドレン首元部に螺合されるキャップと略同径に構成するものである。この請求項２によれば、前記ドレン首元部に前記キャップを取り付けたまま、前記構成のタンクドレン部カバーを前記ドレン部に取り付けて使用することができる。
【００１１】
すなわち、洗浄作業おける洗浄水の排出に先立って前記キャップを取り付けたまま前記ドレン部に取り付けることができ、取り付けた後は、シート状素材の可撓性、さらにはその透孔部が前記キャップに係止する等して容易に外れることがない。
【００１２】
請求項３に示す実施の一形態は、前記請求項１又は２において、前記各透孔の適位置にスリットを設けるものである。この請求項３によれば、前記スリットを設けたことにより、取り付け時に前記各透孔を一時的に大きくすることができ、したがって、ドレン部への取り付けが容易になり、さらに前記各透孔より大きなドレンへも取り付けることができる。
【００１３】
請求項４に示す実施の一形態は、前記請求項１、２又は３において、前記シート状素材を耐薬品性、耐水性、耐候性を有する軟質プラスチックシートで構成するものである。この請求項４によれば、打ち抜き加工により簡単にタンクドレン部カバーを製造できるとともに、さらに取り付け等、その取扱いがきわめて容易である。
【００１４】
【発明の実施の形態】
以下、本発明の実施の一形態を図面に基づいて説明する。図１は本発明に係るタンクドレン部カバーの実施の一形態を示す正面図、図２は前記カバーの取付けに際しての変形状態を示す斜視図、図３は前記カバーの取付け状態を示す要部拡大斜視図、図４はタンクドレン部カバーの他の実施の一形態を示す正面図、図５は背負動力噴霧機の一例を示す全体斜視図である。なお、以下において、前記従来例で述べた背負動力噴霧機と同構成部分には、同符号を付して説明する。
【００１５】
図１に示された本発明に係るタンクドレン部カバーの実施の一形態に係る薬液飛散防止用カバーａは、シート状素材１として、耐薬品性、耐水性、耐候性を有する軟質プラスチックシート、具体的には、厚さ１ｍｍ程度の略方形の軟質塩化ビニルからなり、その一辺略中央部から略中心部に向けてスリット状の切込み部２が打ち抜き加工により形成されている。
【００１６】
同時に、前記薬液飛散防止用カバーａの前記切込み部２の左右、好ましくは左右対称位置に、薬液タンク１４のドレン１９の首元部１９ａに適合する径の透孔３ａ，３ｂが打抜き加工により形成される。さらに図面実施の形態では、前記切込み部２を形成した一側辺１ａ，１ｂを、前記透孔３ａ，３ｂの円形形状に合わせて円弧状に打ち抜き除去している。
【００１７】
前記透孔３ａ，３ｂを前記ドレン首元部１９ａに適合する径に形成した場合には、前記薬液飛散防止用カバーａは、当初から、あるいは洗浄作業に先立って前記ドレン首元部１９ａから前記キャップ２１を取り外して予め取付けられる。もっとも、前記シート状素材１が適度の伸縮性を有する場合には、前記ドレン首元部１９ａに前記キャップ２１を取り付けたままでも前記カバー１を取付けることができる。
【００１８】
また、前記透孔３ａ，３ｂを前記ドレン首元部１９ａに螺合させられる前記キャップ２１の径と略同径に形成してもよい。その場合には、前記ドレン首元部１９ａに前記キャップ２１を螺合したまま取付けることができ、取付け後は、前記シート状素材１の弾性復元力によって前記透孔３ａ，３ｂ部が前記キャップ２１に係止する等して容易に外れることがない。
【００１９】
なお、前記切込み部２を形成した前記一辺側１ａ，１ｂを、前記透孔３ａ，３ｂの円形形状に合わせて円弧状に打抜き除去した場合には、次に述べる前記透孔３ａと透孔３ｂの重ね合わせによる取り付け等の取扱いが容易になる。図中、４は前記切込み部２の切り裂け防止部である。
【００２０】
前記本発明の一実施の形態に係る薬液飛散防止用カバー１は、図２に示すごとく、前記切込み部２を介して前記透孔３ａ，３ｂが重ね合わせられる。その結果、前記カバー１の前記透孔３ａ，３ｂの重合部分が略水平に折り曲げられた状態になるとともに、下方部が円弧状に湾曲させられた状態に変形させられる。
【００２１】
その後、前記重ね合わせた透孔３ａ，３ｂを前記ドレン首元部１９ａに嵌め込み、前記湾曲させられた部分を前記エンジン１０側に位置させて、図３に示すごとく取付ければよい。
【００２２】
前記構成の本発明の一実施の形態における薬液飛散防止用カバーａによれば、前記薬液タンク１４の洗浄水の排出時に、前記キャップ２１を取外しても前記ドレン首元部１９ａに取付けられた薬液飛散防止用カバーａによって洗浄水が前記エンジン１０側に飛散することが防止され、したがって、該エンジン１０、リコイルスタータ１１、その他の各部への残留薬液の付着、さらに該付着に伴う錆の発生、作動不能、腐食等が防止される。
【００２３】
さらに、打抜き加工等によりその製造もきわめて容易である。なお、前記薬液飛散防止用カバーａは、当初から取付けておいても邪魔になることはなく、取り外す場合には前記手順を逆に行えばよく、きわめて簡単である。
【００２４】
図４には、他の実施の一形態が示されている。この実施の一形態は、前記それぞれの透孔３ａ，３ｂの適位置に、直線状のスリット５ａ，５ｂを設けたものである。図中、６は前記スリット５ａ，５ｂの切り裂け防止部である。
【００２５】
この実施の一形態によれば、取付け時に一時的に前記透孔３ａ，３ｂを大きくすることができ、前記ドレン首元部１９ａへの取付け容易であり、さらに前記透孔３ａ，３ｂより大きなドレン首元部へも取付けることができる。
【００２６】
なお、図示例では、直線状の切込み２を一本のみ設けて、その左右に透孔３ａ，３ｂを二つ設けているが、必要に応じて、切り込みの数、形状、及び透孔の数等を適宜変更することにより、ドレン首元部に取り付けた状態での本発明タンクドレン部カバーの形状を適宜変更実施できることは、いうまでもない。
【００２７】
【発明の効果】
本発明によれば、薬液タンク内等の洗浄時に排出する洗浄水のエンジン側への飛散を防止することができ、エンジン、リコイルスタータ、その他の各部へ残留薬液の付着、該付着伴う錆の発生、作動不能、腐食等を防止できるとともに、製造及び取り付け等の取扱いがきわめて容易である。なお、前記薬液飛散防止用カバーは前記ドレン部等の他、液体注入口部にも取付け使用することができる。
【図面の簡単な説明】
【図１】本発明に係るタンクドレン部カバーの実施の一形態を示す正面図である。
【図２】図１に示したカバーの取付けに際しての変形状態を示す斜視図である。
【図３】図１に示したカバーの取付け状態を示す要部拡大斜視図である。
【図４】タンクドレン部カバーの他の実施の一形態を示す正面図である。
【図５】背負動力噴霧機の一例を示す全体斜視図である。
【符号の説明】
１  シート状素材（タンクドレン部カバー）
２  切込み部
３ａ，３ｂ  透孔
５ａ，５ｂ  スリット
１４  タンク
１９ａ  ドレン首元部
２１  キャップ
【図１】
0003661022.tif 000002
【図２】
0003661022.tif 000003
【図３】
0003661022.tif 000004
【図４】
0003661022.tif 000005
【図５】
0003661022.tif 000006